(57)【特許請求の範囲】
【請求項１】
ＲＦＩＤに対して無線電波を送信するときに、ＲＦＩＤに記憶されている情報に応じて変化する反射波を検出することによって、非接触で情報を読取ることが可能で、ＲＦＩＤへの情報の書込も可能なＲＦＩＤ通信機能付携帯情報端末に、予め個人情報を記憶させておいて、
公共の場所に設置してあるＲＦＩＤに対し、ＲＦＩＤ通信機能付携帯情報端末を所持して接近するときに、ＲＦＩＤから情報を読取り、ＲＦＩＤに個人情報を書込むことを特徴とするＲＦＩＤ通信機能付携帯情報端末の使用方法。
【請求項２】
前記個人情報は、情報通信によって、他の情報処理装置から転送して記憶しておくことを特徴とする請求項１記載のＲＦＩＤ通信機能付携帯情報端末の使用方法。
【請求項３】
前記ＲＦＩＤに書込む個人情報は、いったん前記ＲＦＩＤ通信機能付携帯情報端末に表示させて、表示されている中から選択することを特徴とする請求項１または２記載のＲＦＩＤ通信機能付携帯情報端末の使用方法。
【請求項４】
前記ＲＦＩＤから読取る情報を、他の情報処理装置に転送して処理することを特徴とする請求項１〜３のいずれか１つに記載のＲＦＩＤ通信機能付携帯情報端末の使用方法。
【請求項５】
前記公共の場所に設置してあるＲＦＩＤは、応募情報を広告する媒体に添付され、
前記ＲＦＩＤに書込む個人情報は、該応募情報の要求に適合させることを特徴とする請求項１〜４のいずれか１つに記載のＲＦＩＤ通信機能付携帯情報端末の使用方法。
【請求項６】
前記媒体は、公共交通機関内の広告であり、
前記ＲＦＩＤ通信機能付携帯情報端末を腕に装着して、該媒体に添付されているＲＦＩＤとの間で情報の読取りまたは書込みのうちの少なくとも一方を行うことを特徴とする請求項５記載のＲＦＩＤ通信機能付携帯情報端末の使用方法。
【発明の詳細な説明】
【０００１】
【発明の属する技術分野】
本発明は、半導体集積回路チップ（以下、「ＩＣチップ」と略称することがある）とアンテナとを備えるＲＦＩＤ（RadioFrequency IDentification ）に対し、無線電波を介して非接触で記憶されている情報の読出しや書込が可能なＲＦＩＤ通信機能付携帯情報端末の使用方法に関する。
【０００２】
【従来の技術】
従来から、ＲＦＩＤは、物流過程などで荷物の識別に用いる「タグ」などとして利用されている。ＲＦＩＤは、半導体集積回路チップ内にフラッシュメモリなどの記憶部を備え、データを記憶して、外部からアンテナに受信される電波のエネルギから動作用の電力を取出し、記憶されているデータに応じて強度を変えた反射波をアンテナから放射する。「タグ」として利用する場合は、荷物に添付する荷札などと同様に、その荷物の識別情報や、関連情報をフラッシュメモリなどに書込んでおく。ＲＦＩＤへの情報の書込や読出しは、携帯型、据置型、卓上型などの各種形態のリーダ／ライタによって行われる。ＲＦＩＤリーダ／ライタがＲＦＩＤから情報を読出したり書込んだりする動作は、無線電波を介する質問と応答との形式をとるので、ＲＦＩＤリーダ／ライタは質問器（Interrogator）とも呼ばれ、ＲＦＩＤ自身は応答器（Transponder ）とも呼ばれる。
【０００３】
ＲＦＩＤと同様な応用分野には、従来からバーコードなども利用されている。バーコードの読出しも、レーザスキャナなどを用いれば、ＲＦＩＤと同様に非接触で行うことができる。しかしながら、バーコードによる情報の記憶は、接触して印刷しなければならない。また、ＲＦＩＤへ記憶可能なデータ量は、バーコードとして表示可能な１０数桁のデータ量に比較して大容量の１ｋバイト程度とすることも容易である。
【０００４】
したがって、ＲＦＩＤは、「タグ」や識別などの用途ばかりではなく、記憶容量を活用するデータキャリアとしての応用が期待される。そのような応用として、腕時計にＲＦＩＤを装着して用いる先行技術が特開平９−３１１９２０号公報、特開２０００−２７５３６９号公報および特開２００１−６００７号公報などに開示されている。
【０００５】
特開平９−３１１９２０号公報では、非接触のデータキャリアとして，ＲＦＩＤのＩＣチップ自身を腕時計等の携帯装備可能な情報機器に装備し、スキー場のリフト搭乗口等に設置したＲＦＩＤの読取り装置で、情報を読込んだり、書込んだりして、リフト搭乗券として適用する例を開示している。特開２０００−２７５３６９号公報では、腕時計に組込むＲＦＩＤのＩＣチップを複数にしたり、交換可能にしたりする構成を開示している。複数のＲＦＩＤを用いることができるので、腕時計を交換することなく、スキー場のリフト回数券などとして複数のＲＦＩＤシステムに対応させたり、入門管理、乗車券、定期券などとして複数のサービスに対応できるようにしたり、ＲＦＩＤ自身を複数追加装備する用途に適合させることができる。特開２００１−６００７号公報では、腕時計などの金属ケースの外側にＲＦＩＤを取付け、外部の質問器などの送受信手段との通信に支障がなく、腕時計自体の装飾性やデザインの多様化を図ることが可能なようにしている。また、非接触で受信したデータの内容を表示することも可能にしている。この先行技術では、ＲＦＩＤを、クレジットカードや銀行カード、キャッシュカードなどの電子マネーや、電子乗車券や電子定期券などとして利用したり、マラソン競技のゴール時間や順位測定に利用する考え方が提案されている。
【０００６】
【発明が解決しようとする課題】
従来から利用者がＲＦＩＤを携行してデータキャリアとして利用する場合に、たとえば腕時計に装着して利便性を増大させる提案は多くなされている。ＲＦＩＤを携行する利用者は、質問器やリーダ／ライタなどの有効範囲に入り、情報の授受を行う。電子マネーや回数券などとしての利用では、残金額や残回数が質問器などの表示部に表示されることはあっても、ＲＦＩＤに記憶されている情報を有効に選択したり、任意に内容を確認したり、さらに加工したりすることはできない。
【０００７】
本発明の目的は、ＲＦＩＤの有する機能を有効に活用して、情報の収集や通信を行うことができるＲＦＩＤ通信機能付携帯情報端末の使用方法を提供することである。
【００１９】
【課題を解決するための手段】
本発明は、ＲＦＩＤに対して無線電波を送信するときに、ＲＦＩＤに記憶されている情報に応じて変化する反射波を検出することによって、非接触で情報を読取ることが可能で、ＲＦＩＤへの情報の書込も可能なＲＦＩＤ通信機能付携帯情報端末に、予め個人情報を記憶させておいて、
公共の場所に設置してあるＲＦＩＤに対し、ＲＦＩＤ通信機能付携帯情報端末を所持して接近するときに、ＲＦＩＤから情報を読取り、ＲＦＩＤに個人情報を書込むことを特徴とするＲＦＩＤ通信機能付携帯情報端末の使用方法である。
【００２０】
本発明に従えば、公共の場所にＲＦＩＤを設置しておいて、非接触で情報を読取ることが可能で、ＲＦＩＤへの情報の書込も可能なＲＦＩＤ通信機能付携帯情報端末を携行する利用者に情報を提供したり、情報の書込を受けたりすることができる。ＲＦＩＤ通信機能付携帯情報端末は、ＲＦＩＤに対して無線電波を送信するときに、ＲＦＩＤに記憶されている情報に応じて変化する反射波を検出することによって、非接触で情報を読取ることが可能で、ＲＦＩＤへの情報の書込も可能である。すなわち、利用者がＲＦＩＤを携行して質問器などの有効範囲に接近するのではなく、利用者が質問器としての機能を有するＲＦＩＤ通信機能付携帯情報端末を携行して、その有効範囲内にＲＦＩＤが存在すれば、ＲＦＩＤとの間で情報の通信を行い、情報の提供を受け、また記憶している個人情報を書込んで応募や予約を行うことができる。
【００２１】
また本発明で、前記個人情報は、情報通信によって、他の情報処理装置から転送して記憶しておくことを特徴とする。
【００２２】
本発明に従えば、他の情報処理装置、たとえばパーソナルコンピュータなどから個人情報を転送して記憶しておくので、ＲＦＩＤ通信機能付携帯情報端末自体に直接入力する必要はない。ＲＦＩＤ通信機能付携帯情報端末が携帯性を重視すると、個人情報などの情報の直接的な入力は困難になる。操作性のよい外部の情報処理装置で個人情報を入力すれば、ＲＦＩＤ通信機能付携帯情報端末に直接入力する場合の困難性を回避することができる。
【００２３】
また本発明で、前記ＲＦＩＤに書込む個人情報は、いったん前記ＲＦＩＤ通信機能付携帯情報端末に表示させて、表示されている中から選択することを特徴とする。
【００２４】
本発明に従えば、ＲＦＩＤ通信機能付携帯情報端末に複数の個人情報を記憶しておいて、ＲＦＩＤに書込む前に表示させて、内容を確認することができる。これによって、たとえば応募を行う場合や予約を申込む場合などに、必要な情報のみを選択して書込むことができる。
【００２５】
また本発明は、前記ＲＦＩＤから読取る情報を、他の情報処理装置に転送して処理することを特徴とする。
【００２６】
本発明に従えば、公共の場所のＲＦＩＤから読取る情報を、他の情報処理装置に転送して処理するので、ＲＦＩＤ通信機能付携帯情報端末では困難な処理も、容易に行うことができる。
【００２７】
また本発明で、前記公共の場所に設置してあるＲＦＩＤは、応募情報を広告する媒体に添付され、
前記ＲＦＩＤに書込む個人情報は、該応募情報の要求に適合させることを特徴とする。
【００２８】
本発明に従えば、ＲＦＩＤで人員などの応募募集を行っているとき、応募要求などに適応する個人情報を、的確に選択してＲＦＩＤに書込むことができる。
【００２９】
また本発明で、前記媒体は、公共交通機関内の広告であり、
前記ＲＦＩＤ通信機能付携帯情報端末を腕に装着して、該媒体に添付されているＲＦＩＤとの間で情報の読取りまたは書込みのうちの少なくとも一方を行うことを特徴とする。
【００３０】
本発明に従えば、公共交通機関としてのたとえば電車に通勤時間帯などに乗り合せた乗客が身動き困難な状況でも、宙吊りなどの広告を見て、さらに詳しい広告情報などをＲＦＩＤから読取ったり、応募や予約などを行ったりすることができる。ＲＦＩＤ通信機能付携帯情報端末を腕時計型にして、手首などに装着しておけば、吊革につかまりながら、情報の読取りや書込を行うことができる。
【００３７】
【発明の実施の形態】
図１は、（ａ）で本発明の実施の一形態としてのＲＦＩＤ通信機能付携帯情報端末１の概略的な電気的構成を示す。本実施形態のＲＦＩＤ通信機能付携帯情報端末１は、腕時計型の筐体内に実装される。なお、筐体は腕時計型ばかりではなく、携帯電話型やモバイル情報端末装置型などにも、同様に実装することができる。（ｂ）では、ＲＦＩＤ２の概略的な電気的構成を示す。
【００３８】
図１（ａ）に示すように、ＲＦＩＤ通信機能付携帯情報端末１は、制御部１０、表示部１１、入力部１２、記憶部１３、時計部１４、ＲＦＩＤ読取部１５、ＲＦＩＤ書込部１６、通信部１７、および発光報知部１８を含む。制御部１０は、ＣＰＵなどを含み、予め設定されるプログラムに従って各部の制御を行う。表示部１１は、液晶表示装置（ＬＣＤ）などによって、情報の表示を行う。入力部１２は、ボタンスイッチ等を有し、利用者の入力操作を受付ける。記憶部１３は、各種情報を記憶することができる。時計部１４は、時間管理を行う。ＲＦＩＤ読取部１５は、外部のＲＦＩＤ２に無線電波を送信して、ＲＦＩＤ２に記憶されている情報に応じて変化する反射波を検出することによって、非接触で情報を読取るＲＦＩＤリーダとしての機能を有する。ＲＦＩＤ書込部１６は、外部のＲＦＩＤ２に情報を書込むＲＦＩＤライタとしての機能を有する。通信部１７は、他の情報処理装置、たとえばパーソナルコンピュータ等、処理能力が高い情報処理装置との間でデータのやりとりを行う。通信部１７は、通信ケーブルで接続する有線方式ばかりではなく、ＩｒＤＡ（Infrared Data Association ）等の赤外線や、Ｂｌｕｅｔｏｏｔｈ等の無線ＬＡＮ（Local Area Network）などで実現可能である。
【００３９】
情報記憶部１３には、ＲＦＩＤ２に書込む可能性がある個人情報を記憶する個人情報記憶部１３１と、ポスター等の広告に貼付されたＲＦＩＤ２からＲＦＩＤ読取部１５が読取った情報を記憶する読取情報記憶部１３２とがある。表示部１１は、時計としての情報も表示し、また制御部１０による切り替え処理によって、情報記憶部１３の記憶内容を表示することもできる。
【００４０】
図１（ｂ）に示すように、ＲＦＩＤ２は、ＩＣチップ２０、アンテナ２１および基板２２を含む。ＩＣチップ２０は、ＣＰＵ、メモリおよび電圧発生部などを含む。アンテナ２１は、電気絶縁性の基板２２上に形成されるダイポールなどの導体パターンである。電圧発生部は、アンテナ２１に受信された電波の電力から、ＩＣチップ２０内の各回路が動作するために必要な電圧を発生して供給する。メモリには、不揮発性のフラッシュメモリなどが含まれ、書込まれたデータを保存することができる。質問器や、ＲＦＩＤライタ、ＲＦＩＤ通信機能付携帯情報端末１などから電波を受信すると、メモリに記憶されているプログラムに従ってＩＣチップ２０内のＣＰＵが動作し、メモリに記憶されているデータに応じて反射波を変化させ、質問器、ＲＦＩＤリーダ、ＲＦＩＤ通信機能付携帯情報端末１のＲＦＩＤ読取部１５などでデータを読取ることができるようにする。
【００４１】
図１（ａ）に示す発光報知部１８は、ＲＦＩＤ２のアンテナ２１には指向性があるため、ＲＦＩＤ通信機能付携帯情報端末１を持っている角度や方向が、ＲＦＩＤ２との間の通信に良好であるか否かチェックし、発光して知らせる。発光以外に、振動等、別の報知手段で通知するようにすることもできる。通信条件の判断は、ＲＦＩＤ２側からの反射波を受信する強度に基づいて行うこともできる。たとえば、適切な通信条件が満たされるときに、発光して知らせるようにすればよい。
【００４２】
図２は、本実施形態のＲＦＩＤ通信機能付携帯情報端末１を使用する状態を概略的に示す。ＲＦＩＤ通信機能付携帯情報端末１は、腕時計型の筐体３０内に実装される。腕時計型の筐体３０は、正面の表示部１１で通常は時間表示を行い、側面に入力部１２として、時計ボタン１２０、ＲＦＩＤ読取ボタン１２１およびＲＦＩＤ書込ボタン１２２を備えている。筐体３０の側面には、発光報知部１８も設けられる。
【００４３】
公共交通機関である電車の車内や駅の構内にＲＦＩＤ２付のポスター３１やチラシを設置する。ＲＦＩＤ２には、ポスター３１やチラシの内容の詳細や、問い合せ先のＵＲＬ（Uniform Resource Locator）や電話番号等の関連情報が予め書込まれている。また、懸賞の応募ポスターなどでは、ＲＦＩＤ２に応募情報を書込むエリアを設けておき、応募者が書込むようにすることもできる。
【００４４】
ポスター３１が電車内の宙吊り広告である場合を想定する。腕時計型の筐体３０を有するＲＦＩＤ通信機能付携帯情報端末１を、たとえば電車の中の吊革にぶら下がった状態で、ポスター３１に貼付されたＲＦＩＤ２に向け、ＲＦＩＤ読取ボタン１２１を押すと、▲１▼に示すような無線通信で、ＲＦＩＤ２からポスター３１の詳細内容の情報を得ることができる。なお、ＲＦＩＤ２が装着される広告などの設置場所は、公共交通機関内に限定されるものではなく、通常の広告が設置されたり展示されている場所に、同様に設置することができる。
【００４５】
次にポスター３１が懸賞応募の場合は、この腕時計型の筐体３０を懸賞応募のポスター３１に貼付したＲＦＩＤ２に向け、事前に個人情報記憶部１３１に記憶しておいた姓名や住所等の個人情報を選択して、▲２▼に示すように転送し、ポスター３１のＲＦＩＤ２に書込むことによって、簡単に応募することができる。ポスター３１の広告主は、ポスター３１の展示場所を巡回してＲＦＩＤリーダで応募者の個人情報を読取ったり、ポスター３１を回収して、さらにＲＦＩＤ２のみを分離し、書込まれている応募者の個人情報を読取ることもできる。
【００４６】
さらに、▲１▼のようにしてＲＦＩＤ２から取得した情報は、▲３▼で示すように、通信部１７を介して、家庭や職場に備えているパーソナルコンピュータ等の情報処理端末３２に、光通信や近距離無線通信機能で転送し、情報処理端末３２側で各種処理を行う。
【００４７】
図３は、図１に示す情報記憶部１３の記憶内容の概要を示す。個人情報記憶部１３１には、前述の応募などに必要となる可能性がある情報等を予め入力しておく。たとえば、姓名、生年月日、性別、住所、電話番号、職業、メールアドレス等が対象となる。この情報は、図２に示すような腕時計型の筐体３０では、ＲＦＩＤ読取ボタン１２１およびＲＦＩＤ書込ボタン１２２以外に複数個のボタンキー等を準備し、携帯電話のようなソフトキーボード等の方式で入力することもできる。あるいは、図２に示すような外部のパーソナルコンピュータ等の情報処理端末３２で作成して、通信部１７を介して個人情報記憶部１３１に受入れることもできる。この場合は、図２の▲３▼に示す通信を逆に使用する。
【００４８】
読取情報記憶部１３２は、図２のポスター３１や看板等の広告媒体等に貼付されたＲＦＩＤ２から読取った各種情報を記憶する。記憶する情報には、符号１３２ａで示すようなコンサート情報等のイベント情報、商品情報、その問い合せ先のＵＲＬや、懸賞や予約などに応募した際の書込情報等が含まれる。また図１の時計部１４による時間管理の機能に基づき、情報を取得するたびに、符号１３２ｂで示すような情報入手時刻を記憶しておく。腕時計型のように表示部が小さい情報端末では、入手時刻毎にソートして表示することによって、簡易に確認が可能となる。
【００４９】
図４は、図２に示すようなポスター３１や、看板等の広告媒体等に貼付されたＲＦＩＤ２から、▲１▼に示すように情報を読取る場合の操作手順および処理手順を示す。ＲＦＩＤ２から情報を読取処理は、ステップＳ４０から開始する。ここでは、図２に示すように、腕時計型のＲＦＩＤ通信機能付携帯情報端末１を用いる場合について説明する。まずステップＳ４１では、腕時計型のＲＦＩＤ通信機能付携帯情報端末１を装着している所有者が、必要とする情報を明記したＲＦＩＤ２付のポスター３１や看板等を探して広告媒体を選択する。ステップＳ４２では、欲しい情報を格納している可能性が高いと判断される広告媒体のＲＦＩＤ２に向って、ＲＦＩＤ読取部１５を向ける。ステップＳ４３では、ＲＦＩＤ読取ボタン１２１を押す。ステップＳ４４では、ＲＦＩＤ２から情報を取得し、読取情報記憶部１３２に記憶する。記憶したタイミングで、ステップＳ４５では、表示部１１で時計情報を表示している時計表示を、取得情報の表示に切り替える。ステップＳ４６では、表示部１１に読取情報記憶部１３２に記憶された情報を表示する。また、正しく情報を読みとれたことをメッセージで表示したりすることもできる。
【００５０】
ステップＳ４７では、入力部１１への入力待ちを行う。ステップＳ４８で終了ボタンキーが押されたと判断される場合は、ステップＳ４９のように表示部１２を時計情報の表示に戻し、ステップＳ４Ａで終了処理を行う。ステップＳ４Ｂのように、カーソル指示ボタン等の情報を選択指定するボタンが押された場合は、ステップＳ４Ｃのように、読取情報記憶部１３２の中の指定データを検索して表示し、ステップＳ４７のボタンキーの入力待ちに戻る。
【００５１】
図５は、図２に示すようなポスター３１や、看板等の広告媒体に貼付されたＲＦＩＤ２に、腕時計型のＲＦＩＤ通信機能付携帯情報端末１から、個人情報記憶部１３１に格納されている個人情報を書込む場合の操作手順および処理手順を示す。ＲＦＩＤ２に情報を書込む処理は、ステップＳ５０から開始する。まずステップＳ５１では、腕時計型のＲＦＩＤ通信機能付携帯情報端末１を装着している所有者が、たとえば懸賞の応募の看板を見つけ、広告媒体を選択し、その看板の複数箇所に取付けられているＲＦＩＤ２のところに進む。ステップＳ５２では、腕時計型のＲＦＩＤ通信機能付携帯情報端末１内に記憶されている懸賞の応募に必要な情報を検索するために、表示部１１での時計情報の表示を取得情報の表示に切り替える。ステップＳ５３では、懸賞の応募に必要な情報として、個人情報記憶部１３１に記憶されている情報の中から、姓名、年齢、住所、電話番号、職業等を書込情報として選択する。ステップＳ５４では、懸賞応募の看板のＲＦＩＤ２に向って、ＲＦＩＤ書込部１６を向ける。ステップＳ５５では、ＲＦＩＤ書込ボタン１２２を押す。ステップＳ５６では、ＲＦＩＤ２への書込処理が行われる。ステップＳ５７では、ＲＦＩＤ２に書込んだ情報を、書込対象のＲＦＩＤ２から取得する。ステップＳ５８では、取得情報を読取情報記憶部１３２に記憶する。その場での確認処理のために、データ比較処理を行い、その結果は表示部１１を通じて即時に表示してもよいし、また家庭などに戻ってから、パーソナルコンピュータ等の情報処理端末３２に通信して確認してもよい。次にステップＳ５９で表示部１１は時計情報の表示に戻り、ステップＳ５Ａで処理を終了する。
【００５２】
図６は、図５のステップＳ５２およびステップＳ５３の処理について、書込時選択表示の操作方法の例を示す。操作は、図２に示す時計ボタン１２０、ＲＦＩＤ読取ボタン１２１およびＲＦＩＤ書込ボタン１２２の３つを使用して行う。ＲＦＩＤ読取ボタン１２１を、「△キー」と兼用し、ＲＦＩＤ書込ボタン１２２を「▽キー」と兼用する。実際のＲＦＩＤ２に対する読取動作と書込動作とについては、簡単にスイッチが入らないように、ＲＦＩＤ読取ボタン１２１と時計ボタン１２０との同時押し、およびＲＦＩＤ書込ボタン１２２と時計ボタン１２０との同時押しによって動作するようにしておく。基本的にデータを選択するときのモードでの、「△」、「▽」、およｂ時計ボタン１２０以外はすべて、１〜２秒程度押し続けることで、その機能を果すようにしておく。
【００５３】
まずステップＳ６０の時計モードの状態で、ＲＦＩＤ書込ボタン１２２を長く押すと、ステップＳ６１の書込み時情報選択モードに入る。まず第１に姓名データがたとえば「通信太郎」のように表示される。このデータが書込に必要なデータであれば、時計ボタン１２０を押す。これによって、ステップＳ６２に示すように、姓名表示の前に「＊」等のマークが表示され、データが選択されていることを示すようになる。ステップＳ６３では、住所データが表示される。ただし腕時計型の筐体３０は小型であり、表示部１１も小型であるので、住所の全体を表示することはできず、たとえば「奈良県大和郡山市…」のうちの一部のみ表示される。ステップＳ６４では住所も選択され、ステップＳ６５およびステップＳ６６では年齢も選択される。ステップＳ６７の性別と、ステップＳ６８の電話番号は選択しないで選択を終了する。選択終了の操作は、時計ボタン１２０を長く押すことによって行う。この結果、ステップＳ６９で、選択データの確認画面が表示される。
【００５４】
ステップＳ６９の確認画面では、選択した項目だけが表示され、続けて時計ボタン１２０だけを長く押すと、選択が解除されて、ステップＳ６０の時計モードに戻る。ステップＳ６９でＲＦＩＤ書込ボタン１２２と時計ボタン１２０とを同時に長く押すと、ＲＦＩＤ２に選択された情報を書込むＲＦＩＤ書込通信が行われる。なお、個々の項目は、たとえばステップＳ６２等の画面で、「＊」マークが付いているときに、時計ボタン１２０を押すことによって、選択を解除することもできるようにしておく。押しボタンの配置は、ＲＦＩＤ通信機能付携帯情報端末１の筐体３０の形状に合わせてずらすようにしてもよい。なお、情報やデータの選択は、情報記憶部１３に記憶するデータや通信部１７から転送するデータに対して行うこともでき、記憶容量や転送速度を改善することができる。
【００５５】
図１の発光報知部１８は、ＲＦＩＤ通信機能付携帯情報端末１がＲＦＩＤ２と通信する際に、実際のデータ通信前に、事前にダミーデータで通信可能か否かをチェックする。実際にデータをＲＦＩＤ２とやり取りしてみて、現在ＲＦＩＤ通信機能付携帯情報端末１がＲＦＩＤ２と正しく通信を行うことができる方向であるか否かを確認し、確認の結果を発光で知らせることによって、無駄な通信による電池の消耗などを避けることができる。この通信可能か否かのチェックは、通信前に自動的に行ってもよいし、また特別なボタン操作で、使用者の意図に従って行うようにすることもできる。
【００５６】
以上説明したように、本実施形態のＲＦＩＤ通信機能付携帯情報端末１は、携帯可能な筐体３０と、筐体３０に搭載され、外部のＲＦＩＤ２に無線電波を送信し、ＲＦＩＤ２に記憶されている情報に応じて変化する反射波を検出することによって、非接触で情報を読取るＲＦＩＤ通信手段としてのＲＦＩＤ読取部１５と、筐体３０に搭載され、ＲＦＩＤ読取部１５によってＲＦＩＤ２から読取られた情報を記憶可能な情報記憶手段としての読取情報記憶部１３２と、筐体３０に搭載され、情報処理のための入力操作が行われる入力手段である入力部１１と、入力部１１への入力操作に応答して、ＲＦＩＤ読取部１５によってＲＦＩＤ２から読取られた情報、または読取情報記憶部１３２に記憶された情報の少なくとも一方を処理する情報処理手段としての制御部１０と、筐体３０に搭載され、読取情報記憶部１３２に記憶された情報、または制御部１０によって処理された情報の少なくとも一方を表示する情報表示手段としての表示部１１と、筐体３０に搭載され、読取情報記憶部１３２に記憶されている情報を、他の情報処理装置に転送可能な情報転送手段としての通信部１７とを含む。
【００５７】
ＲＦＩＤ通信機能付携帯情報端末１を、たとえば腕時計のような携帯可能な筐体に実装することによって、ＲＦＩＤ２に記憶されている情報を非接触で読取ることができ、外部に広告などの情報提供用にＲＦＩＤ２を設置しておけば、そのＲＦＩＤ２から情報を読取ることができる。ＲＦＩＤ通信機能付携帯情報端末１を、特に簡単に身に付けることができる腕時計に装備することによって、種々の場所や場面に設置されているＲＦＩＤ２から、種々の情報を簡単に取得可能となる。ＲＦＩＤ２に情報を書込むことによって、種々のイベント等に容易に参加可能となる。特に表示面積の小さい腕時計型等の携帯情報端末では、書込情報を必要が生じた時点で入力部１１から入力して転送するには、非常に操作性が悪くなってしまう。予め個人情報記憶部１３１に記憶しておいた個人情報を選択し、選択された個人情報を送信するようにすれば、個人情報の転送が必要なときに、簡単かつ迅速に送信することが可能になる。
【００５８】
また、携帯情報端末に通信部１７などの通信機能を設けることによって、家庭のパーソナルコンピュータ等の情報処理端末３２にデータを転送し、腕時計形態の処理能力が低い状態では不可能または不便であった情報の表示、編集、および加工等が可能になる。ＲＦＩＤ２からの情報の読取りは非接触で行われるので、ＲＦＩＤ２からＲＦＩＤ読取部１５の有効範囲内に接近するだけで、情報を迅速に読取ることができる。
【００５９】
時間を計測する時計手段としての時計部１４は、時間を計測する。制御部２０は、時計部１４が掲示する時間に基づく管理を行い、ＲＦＩＤ２から読取った情報と時間とを組合わせて処理、記憶、表示なども行う。またＲＦＩＤ通信手段は、外部のＲＦＩＤに情報を書込み可能なＲＦＩＤ書込部１６も含むので、外部のＲＦＩＤ２で募集や予約などを受付けて、ＲＦＩＤ通信機能付携帯情報端末１を携行する利用者が募集や予約などをＲＦＩＤ２に対して直接行うことができる。
【００６０】
また図２の筐体３０は、バンドなどの装着具で、人体の腕に装着される。ＲＦＩＤ通信機能付携帯情報端末１を腕時計のように腕に装着したり、腕時計自体をＲＦＩＤ通信機能付携帯情報端末１として利用することができる。これによって、公共の場所に設置してあるＲＦＩＤ２に対し、ＲＦＩＤ通信機能付携帯情報端末１を所持して容易に接近することができる。
【００６７】
【発明の効果】
本発明によれば、公共の場所にＲＦＩＤを設置しておいて、ＲＦＩＤ通信機能付携帯情報端末を携行する利用者に情報を提供したり、情報の書込を受けたりすることができる。ＲＦＩＤ通信機能付携帯情報端末は、非接触で情報を読取ることが可能で、ＲＦＩＤへの情報の書込も可能である。利用者がＲＦＩＤを携行して質問器などの有効範囲に接近するのではなく、利用者がＲＦＩＤの質問器としての機能を有するＲＦＩＤ通信機能付携帯情報端末を携行して、ＲＦＩＤとの間で情報の通信を行い、情報の提供を受け、また記憶している個人情報を書込んで応募や予約を行い、ＲＦＩＤを有効に活用することができる。
【００６８】
また本発明によれば、他の情報処理装置、たとえばパーソナルコンピュータなどから個人情報を転送して記憶しておくので、ＲＦＩＤ通信機能付携帯情報端末自体に直接入力する必要はない。操作性のよい外部の情報処理装置で個人情報を入力すれば、携帯性を重視するＲＦＩＤ通信機能付携帯情報端末に直接入力するよりも、容易に個人情報を入力することができる。
【００６９】
また本発明によれば、ＲＦＩＤ通信機能付携帯情報端末に複数の個人情報を記憶しておいて、ＲＦＩＤに書込む前に内容を確認することができる。これによって、たとえば応募を行う場合や予約を申込む場合などに、必要な情報のみを選択して書込むことができる。
【００７０】
また本発明によれば、公共の場所のＲＦＩＤから読取る情報を、他の情報処理装置に転送して処理するので、携帯性を重視するＲＦＩＤ通信機能付携帯情報端末では困難な処理も、外部のパーソナルコンピュータなどで比較的容易に行うことができる。
【００７１】
また本発明によれば、ＲＦＩＤからの情報提供として人員などの募集を行っているとき、応募規定などに適応する個人情報を、的確に選択してＲＦＩＤに書込み、応募等に応じいることができる。
【００７２】
また本発明によれば、電車などの公共交通機関の乗客が身動き困難なラッシュ時間帯でも、宙吊りなどの広告を見て、さらに詳しい広告情報などをＲＦＩＤから読取ったり、応募や予約などを行ったりすることができる。ＲＦＩＤ通信機能付携帯情報端末を腕時計型にしておけば、吊革につかまりながらでも、情報の読取りや書込を行うことができる。
【図面の簡単な説明】
【図１】本発明の実施の一形態としてのＲＦＩＤ通信機能付携帯情報端末１の概略的な電気的構成を示すブロック図である。
【図２】図１のＲＦＩＤ通信機能付携帯情報端末１を腕時計型の筐体３０に実装して使用する状態を示す図である。
【図３】図１の情報記憶部１３の記憶内容を示す図である。
【図４】図１のＲＦＩＤ通信機能付携帯情報端末１でＲＦＩＤ２から情報を読取る手順を示すフローチャートである。
【図５】図１のＲＦＩＤ通信機能付携帯情報端末１でＲＦＩＤ２に情報を書込む手順を示すフローチャートである。
【図６】図５の手順で、個人情報を選択する操作を示すフローチャートである。
【符号の説明】
１  ＲＦＩＤ通信機能付携帯情報端末
２  ＲＦＩＤ
１０  制御部
１１  表示部
１２  入力部
１３  情報記憶部
１４  時計部
１５  ＲＦＩＤ読取部
１６  ＲＦＩＤ書込部
１７  通信部
１８  発光報知部
２０  ＩＣチップ
２１  アンテナ
３０  筐体
３１  ポスター
３２  情報処理端末
１２０  時計ボタン
１２１  ＲＦＩＤ読取ボタン
１２２  ＲＦＩＤ書込ボタン
１３１  個人情報記憶部
１３２  読取情報記憶部
【図１】
0004728492.tif 000002
【図２】
0004728492.tif 000003
【図３】
0004728492.tif 000004
【図４】
0004728492.tif 000005
【図５】
0004728492.tif 000006
【図６】
0004728492.tif 000007